(57)【特許請求の範囲】
【請求項１】
光入射面から導入された光を閉じ込めて伝搬させ、光出射面から外部へ取り出すための導光板と、前記導光板の光入射面側に配置された複数の光源とを備え、
前記導光板の光出射面と反対側の面には、相互に間隔をあけて配置された複数の偏向パターン素子からなる偏向パターン領域が形成された面光源装置であって、
前記光源の配置された箇所の近傍においては、それぞれの光源に対応して、前記光出射面に垂直な方向から見たとき、偏向パターン素子の光反射面に立てた法線と当該偏向パターン素子及び当該光源を結ぶ方向とが平行となる偏向パターン素子が存在しており、
前記光源の配置された箇所から離れた領域においては、前記光出射面に垂直な方向から見たとき、各偏向パターン素子の光反射面に立てた法線と、当該偏向パターン素子及び光源全体の中央部を結ぶ方向とが平行となっていることを特徴とする記載の面光源装置。
【請求項２】
各偏向パターン素子に比べて十分に大きく、かつ、導光板に比べて十分に小さい前記偏向パターン領域の任意の一部において、各光源に対応するそれぞれの偏向パターン素子が均等な比率で分布していることを特徴とする、請求項１に記載の面光源装置。
【請求項３】
前記偏向パターン素子は、対応する光源からの距離が大きくなるに従って、前記光出射面の単位面積における光反射面の合計面積が大きくなっていることを特徴とする、請求項１に記載の面光源装置。
【請求項４】
画像を生成する液晶表示パネルと、前記液晶表示パネルを照明するための、請求項１に記載の面光源装置とを備えた液晶表示装置。
【請求項５】
請求項４に記載の液晶表示装置と、送受話機能とを備えた携帯電話機。
【請求項６】
請求項４に記載の液晶表示装置と、情報処理機能とを備えた情報端末機。
【発明の詳細な説明】
【技術分野】
【０００１】
本発明は、面光源装置及び当該装置を用いた機器に関する。具体的にいうと、本発明は、面光源装置と、当該面光源装置を用いた液晶表示装置、携帯電話機、情報端末機とに関する。
【背景技術】
【０００２】
図１は液晶表示装置１１の構成を示す概略図である。図示の液晶表示装置１１は、液晶表示パネル１２と拡散シート１３と面光源装置１４とから構成されている。液晶表示パネル１２は、各画素毎に光を透過又は遮断して画像を生成する機能を有しているが、それ自体は発光する機能を有していない。そのため、液晶表示パネル１２の正面又は裏面には、液晶表示パネル１２を照明するための面光源装置１４が必要になる。面光源装置１４としては、液晶表示パネル１２の正面に配置されるフロントライト型のものと、液晶表示パネル１２の裏面に配置されるバックライト型のものとがある。以下においてはバックライト型のものについて説明する。
【０００３】
図２はバックライト型の面光源装置１４を示す分解斜視図、図３はその概略断面図である。面光源装置１４は、光を閉じ込めるための導光板１５と発光部１６と反射板１７とから構成されている。導光板１５はポリカーボネイト樹脂やメタクリル樹脂などの透明で屈折率の大きな樹脂により成形されており、導光板１５の下面には凹凸加工や拡散反射インクのドット印刷等によって拡散パターン素子１８が形成されている。発光部１６は、回路基板１９上に複数の発光ダイオード（ＬＥＤ）等のいわゆる点光源２０を実装したものであって、導光板１５の側面（光入射面２１）に対向している。反射板１７は、反射率の高い例えば白色樹脂シートによって形成されており、両面テープ２２によって両側部を導光板１５の下面に貼り付けられている。
【０００４】
しかして、この面光源装置１４にあっては、図３に示すように、発光部１６から出射された光ｆは、光入射面２１から導光板１５内に入射する。導光板１５内に導入された光ｆは、導光板１５内を伝搬するうちに拡散パターン素子１８によって拡散反射され、全反射の臨界角よりも小さな入射角で光出射面２３に入射した光ｆは、光出射面２３から外部に取り出される。また、導光板１５の下面の拡散パターン素子１８が存在しない箇所を通過して導光板１５の下面から漏れた光ｆは、反射板１７によって反射されて再び導光板１５内部へ戻り、導光板１５の下面における光量損失を防止される。
【０００５】
しかし、このような面光源装置１４では、多数の点光源２０を用いて発光部１６を線状光源化しているので、発光部１６の電力消費が大きい。また、導光板１５の拡散パターン素子１８で光を散乱させて光出射面２３から出射させているため、光出射面２３から出射される光の指向特性が広くなり、正面輝度が低下する欠点がある。
【０００６】
ＬＥＤ等の点光源を用いた面光源装置は、その小型軽量性から携帯電話機やＱＤＡ等の携帯性の強い商品に用いられる。これらは携帯性向上の面から電源の長寿命化が強く要求されており、これに使われる面光源装置も低消費電力化が強く望まれている。このため、使用する光源も効率的なものが求められており、この結果、光源の個数の減少傾向が進んでおり、１個又は数個の光源を用いた面光源装置により低消費電力化が図られている。
【０００７】
このような背景のもとで、特許第３１５１８３０号（特許文献１）には、１個又は数個の光源を用いて指向特性の狭い光を出射させることができるようにした面光源装置が開示されている。図４は１個の光源を用いた当該面光源装置を説明するための概略平面図であって、１個の光源２４と導光板２５下面の発光領域に凹設された偏向パターン素子２６を表わしている。この面光源装置にあっては、導光板２５の一辺の中央部に対向させて１個の光源２４が配置されている。
【０００８】
導光板２５の下面には、三角プリズム状をした一方向に長い偏向パターン素子２６が、光源２４を中心として同心円状に配置されている。また、各偏向パターン素子２６は、その偏向パターン素子２６及び光源２４を結ぶ方向とその偏向パターン素子２６の長さ方向とが垂直となるように配置されている。正確に言うと、導光板２５に垂直な方向から見たときに、偏向パターン素子２６の光反射面に立てた法線が、当該偏向パターン素子２６と光源２４とを結ぶ方向と平行になるように偏向パターン素子２６が配置されている。そのため、導光板２５内を伝搬する光は、偏向パターン素子２６で反射されても、光源２４を中心とする円周方向には広がらず、導光板２５に垂直な方向から見ると、光源２４を中心として放射状に直進している。従って、導光板２５内を伝搬する光は、光源２４を中心とする円周方向には狭い指向性を有している。
【０００９】
また、光源２４から出射された光は、導光板２５の上面と下面との間で全反射を繰り返しながら導光板２５内を放射状に伝搬し、偏向パターン素子２６で反射されると、光出射面にほぼ垂直な方向へ向けて光出射面から外部へ出射される。
【００１０】
この結果、かかる面光源装置にあっては、導光板２５の光出射面から出射される光は２方向において狭い指向特性を有している。本明細書においては、図５に示すように、導光板２５の光出射面に立てた法線の方向にｚ軸方向を定め、光源２４を中心とする動径方向にｒ軸方向を定め、光源２４を中心とする円周の接線方向にθ軸方向を定め、また、ｚ軸及びｒ軸を含む平面内でｚ軸から測った方位角をξ、ｚ軸及びθ軸を含む平面内でｚ軸から測った方位角をηとする（本発明の説明においても係る記号を用いる。）。このとき、導光板２５の光出射面から出射される光は、図５のξ方向でもη方向でも狭い指向特性を有している。
【００１１】
よって、このような面光源装置によれば、光源の個数を少なくすることができて電力消費を低減させるることができ、また、光をできるだけ面光源装置の正面に集めることで光の利用効率を高め、正面輝度を向上させることができる。即ち、明るくて電力消費の少ない面光源装置を実現することができる。
【００１２】
図６に示す面光源装置は、図４の面光源装置で用いられていた導光板２５を使用し、その光入射面側に２つの光源２４を配置したものである。例えば、面光源装置の光出射面における輝度をより高くしたい場合や、発光色の異なる光源を組み合わせたい場合など、光源を複数個使用したいことがある。この場合には、各偏向パターン素子２６が同心円状に配置されている中心に、２つの光源２４の中点を一致させるようにして、導光板２５の光入射側に複数の光源２４を配置する。
【００１３】
しかし、図６に示す面光源装置のような複数の光源２４と１点を中心として同心円状に配置された偏向パターン素子２６との組み合わせでは、図７に示すように、光源２４の近傍で面光源装置の輝度が低下して暗部２７が発生していた。このような光源近傍の暗部２７は、光源２４の近傍における偏向パターン素子２６のパターン密度を最大にしても解消せず、面光源装置の発光領域内の輝度の均一性を保つことができなかった。
【００１４】
そこで、本発明の発明者らがこの暗部の原因を追求したところ、各光源の位置と同心円状に配置されている偏向パターン素子２６の中心とのわずかな位置のずれに起因することが分かった。以下、この理由を詳細に説明する。ブロック状をした微小な複数の光源２４をフレキシブルプリント基板の上に実装する場合、光源２４どうしをできるだけ接近させて局在化させようとしても、光源２４自体が数ｍｍ程度の大きさを有しているので、図８に示すように、光源２４の中心（発光点）間には数ｍｍの間隔Ｋが生じる。一方、偏向パターン素子２６は光源２４間の中点Ｑを中心として同心円状に配置されており、偏向パターン素子２６の長さ方向は、中点Ｑと偏向パターン素子２６とを結ぶ線分と垂直になっている。
【００１５】
いま導光板２５上の光源２４から離れた領域を考えると、図７に示すように、光源２４から遠くにある偏向パターン素子２６の位置Ｐ１と光源２４との距離に比べて光源２４間の間隔Ｋが非常に小さい。そのため、位置Ｐ１にある偏向パターン素子２６に入射する光の入射角度αは小さい。よって、光源２４の位置と同心円状に配置された偏向パターン素子２６の中心Ｑとのずれが問題にならず、光源２４から離れた領域では面光源装置は均一な輝度で発光する。
【００１６】
これに対し、光源２４の近傍では、光ｆの挙動は図８及び図９に示すようになる。図８は光源の近傍を拡大して表わした概略平面図である。図９は図８のＸ−Ｘ線断面図であって、光源の近傍におけるｒ軸に垂直な平面（ｚθ平面と平行な面）を表わしている。図８に示すように、２つの光源２４から出射した光ｆ１、ｆ２は、導光板２５の光出射面に垂直な方向から見たとき、偏向パターン素子２６に立てた法線に対して大きな入射角度αで斜め方向から入射する。従って、偏向パターン素子２６で反射した光ｆ１、ｆ２は、光出射面２８からほぼｚθ平面と平行な面内へ出射される際、図９に示すように、ｚ軸から斜めに傾いた方向に向けて出射される。この結果、光出射面２８から出射される光ｆ１、ｆ２の、ｚθ平面と平行な面内における指向特性は図１０のようになる。図１０は光出射面からｚθ平面内へ出射される光の指向特性を表わした図であって、横軸は方位角ηを表わし（図５参照）、縦軸は光の強度を表わしている。ｚθ面内において光出射面２８から出射される光は、図９に示したようにｚ軸方向から傾いた方向で最大強度となるから、光出射面２８から出射される各光源２４の光ｆ１、ｆ２の各指向特性は図１０に破線で表わしたようになる。そして、面光源装置から出射される光の指向特性は、破線で表わした特性を加え合わせて得られ、図１０に実線で表わしたような特性となる。図１０の指向特性によれば、複数の光源２４を用いた場合には、面光源装置の正面から傾いた方向で光の強度が最大となり、正面方向（ｚ軸方向）における光の強度は非常に小さくなることが分かる。
【００１７】
このように複数の光源を用いた場合には、光源の近傍では正面方向への出射光量が低下する。特に、光源の近傍では、入射角度αが４５°以上になり、正面方向への出射光量がほぼゼロになる。そのため、複数の光源を用いた場合には、光源の近傍において発光面の輝度が低下し、光源の近傍に暗部が生じていた。
【００１８】
【特許文献１】特許第３１５１８３０号
【特許文献２】特開２００３−２１５５８４号公報
【特許文献３】ＷＯ００−４９４３２
【発明の開示】
【発明が解決しようとする課題】
【００１９】
本発明は上記のような技術的課題に鑑みてなされたものであり、その目的とするところは、複数の光源を用いた際に、光源の近傍において輝度の低い部分が生じる現象を抑制することができる面光源装置を提供することにある。
【課題を解決するための手段】
【００２０】
本発明にかかる面光源装置は、光入射面から導入された光を閉じ込めて伝搬させ、光出射面から外部へ取り出すための導光板と、前記導光板の光入射面側に配置された複数の光源とを備え、前記導光板の光出射面と反対側の面には、相互に間隔をあけて配置された複数の偏向パターン素子からなる偏向パターン領域が形成された面光源装置であって、前記光源の配置された箇所の近傍においては、それぞれの光源に対応して、前記光出射面に垂直な方向から見たとき、偏向パターン素子の光反射面に立てた法線と当該偏向パターン素子及び当該光源を結ぶ方向とが平行となる偏向パターン素子が存在しており、前記光源の配置された箇所から離れた領域においては、前記光出射面に垂直な方向から見たとき、各偏向パターン素子の光反射面に立てた法線と、当該偏向パターン素子及び光源全体の中央部を結ぶ方向とが平行となっていることを特徴としている。なお、偏向パターン素子の光反射面に立てた法線と当該偏向パターン素子及び当該光源を結ぶ方向とが平行となるとは、厳密に平行になっている必要はなく、ほぼ平行になっていればよい。
【００２１】
本発明にかかる面光源装置にあっては、それぞれの光源に対応して、前記光出射面に垂直な方向から見たとき、偏向パターン素子の光反射面に立てた法線と当該偏向パターン素子及び当該光源を結ぶ方向とが平行となる偏向パターン素子が存在しているので、各光源から出射された光は、対応する偏向パターン素子で反射されたとき、光出射面に垂直な方向から見て真っ直ぐに進み、導光板の光出射面から外部へ出射される。よって、光源の近傍においても光源の光を正面方向へ出射させることができ、光源の近傍における出射光量の低下を防ぐことができ、面光源装置の発光領域全体で輝度の均一化を図ることができる。
さらに、本発明にかかる面光源装置にあっては、各光源に対応して、光出射面に垂直な方向から見て偏向パターン素子の光反射面に立てた法線と当該偏向パターン素子及び対応する当該光源を結ぶ方向とが平行となるようにした場合には、光源の近傍における輝度が高く、光源全体の中央を中心として同心円状に偏向パターン素子を設けた場合には、光源から離れた領域で輝度が高くなるので、面光源装置の全体で輝度を向上させることが可能になる。
【００２２】
本発明の面光源装置のある実施態様は、各偏向素子パターンに比べて十分に大きく、かつ、導光板に比べて十分に小さい前記偏向パターン領域の任意の一部において、各光源に対応するそれぞれの偏向パターン素子が均等な比率で分布していることを特徴としている。この実施態様によれば、面光源装置の発光領域の任意の箇所において、輝度の均一性をより向上させることができる。
【００２３】
本発明の面光源装置の別な実施態様では、前記偏向パターン素子が、対応する光源からの距離が大きくなるに従って、前記光出射面の単位面積における光反射面の合計面積が大きくなっていることを特徴としている。この実施態様によれば、光源から遠くて光源からの光が届きにくい領域ほど光出射面の単位面積における光反射面の合計面積が大きくなっているので、面光源装置の発光領域全体で輝度の均一化を図ることができる。なお、光出射面の単位面積における光反射面の合計面積を大きくする方法としては、偏向パターン素子の数密度を増やしてもよいし、個々の偏向パターン素子の長さを長くするなどして光反射面の面積を大きくしてもよい。
【００２９】
本発明にかかる液晶表示装置は、画像を生成する液晶表示パネルと、前記液晶表示パネルを照明するための、本発明にかかる面光源装置とを備えたことを特徴としている。本発明の液晶表示装置によれば、面光源装置の光源近傍で輝度の低下を小さくすることができるので、均一な明るさの画像を表示させることができ、視認性が向上する。
【００３０】
また、この液晶表示装置は、送受話機能を備えた携帯電話機や、情報処理機能を備えた情報端末機などに用いることができる。
【００３１】
なお、本発明の以上説明した構成要素は、可能な限り任意に組み合わせることができる。
【発明を実施するための最良の形態】
【００３２】
以下、本発明の実施例を図面に従って詳細に説明する。ただし、本発明は以下に説明する実施例に限定されるべきものでないことはもちろんである。
【実施例１】
【００３３】
図１１は本発明の一実施例による面光源装置３１を示す分解斜視図である。この面光源装置３１は、バックライト型の面光源装置であって、主として導光板３２、光源３３Ａ、３３Ｂ、反射シート３４から構成されている。導光板３２はポリカーボネイト樹脂、メタクリル樹脂等の透明で屈折率の高い樹脂によって成形されており、その裏面には偏向パターン素子が配列した偏向パターン領域３５が形成されている。この面光源装置３１は２つの光源３３Ａ、３３Ｂを備えている。２つの光源３３Ａ、３３Ｂは、ハンダによってＦＰＣ（フレキシブルプリント基板）やテープ基板等の配線基板３６に実装されており、配線基板３６を通じて電力を供給される。また、光源３３Ａ、３３Ｂは、取付金具３７によって導光板３２に固定されている。反射シート３４は、アルミシートなどで形成されており、導光板３２の裏面から漏れた光を正反射させて導光板３２内に戻す働きを有している。
【００３４】
図１２は取付金具３７によって光源３３Ａ、３３Ｂを導光板３２に位置決めして固定するための構造を表わした分解斜視図である。光源３３Ａ、３３Ｂは導光板３２の一辺の中央部に取り付けられている。ブロック状をした微小な光源３３Ａ、３３Ｂの内部には、１個又は複数個のＬＥＤチップが封止されている。光源３３Ａ、３３Ｂの背面両側部にはそれぞれ厚みの薄い挟持用段差部３８が形成されている。
【００３５】
導光板３２の一辺の中央部には、光源３３Ａ、３３Ｂがはまり込む大きさの２つの光源収納部３９が近接して設けられており、光源収納部３９に挟まれた部分及び各光源収納部３９の外側の部分には、それぞれ光源３３Ａ、３３Ｂの挟持用段差部３８と等しい厚みの挟み込み用段差部４０、４１が設けられている。光源収納部３９の幅は光源３３Ａ、３３Ｂの幅とほぼ等しくなっており、光源収納部３９内の一方側面には突起４２が突設されている。従って、導光板３２の光源収納部３９内に光源３３Ａ、３３Ｂを押し込むと、突起４２が光源３３Ａ、３３Ｂの一方側面に弾接することにより光源３３Ａ、３３Ｂの他方側面を光源収納部３９の側面に押圧させる。よって、光源３３Ａ、３３Ｂは、光源収納部３９内でがたつき無く保持され、光源３３Ａ、３３Ｂの幅方向における位置決めが成される。
【００３６】
光源収納部３９の突き当たり面の両側には当接部４３が突出しており、光源３３Ａ、３３Ｂを光源収納部３９内に押し込むと、光源３３Ａ、３３Ｂの前面が当接部４３に当接する。光源３３Ａ、３Ｂが当接部４３に当接することにより、光源３３Ａ、３３Ｂの前後方向の位置決めが成されると共に、光源３３Ａ、３３Ｂの前面と光源収納部３９の突き当たり面との間に微小な隙間４４が確保される。さらに、導光板３２には、挟み込み用段差部４１と連続するようにして挟み込み用段差部４１と同じ厚みの金具取付部４５が設けられており、金具取付部４５の上面及び下面にはスナップ（掛け止め部）４６が突設されている。スナップ４６の前半分には、前方へ向けて斜め下りとなった傾斜面が形成されている。
【００３７】
導光板３２の光源収容部３９に嵌め込まれた光源３３Ａ、３３Ｂは、取付金具３７によって導光板３２に固定される。取付金具３７は、ステンレス鋼板、スチール鋼板、アルミニウム板等の金属材料を打ち抜き加工した後、折り曲げ加工することにより製作されており、上下対称かつ左右対称な形状を有している。取付金具３７は、断面Ｕ字状となるように、間隙をあけて二つ折りに折り曲げ加工されており、その上片と下片との間の隙間の高さが光源３３Ａ、３３Ｂの挟持用段差部３８、導光板３２の挟み込み用段差部４０、４１及び金具取付部４５の各表裏間の厚みと等しくなっている。
【００３８】
取付金具３７の上下片の両側部には、それぞれ取付片４７が設けられており、取付片４７には、スナップ４６よりも若干大きな角孔状をした係止孔４８が開口されている。左右の取付片４７間の中央部には上下一対の挟持片４９が設けられ、挟持片４９の両側にはそれぞれ上下一対の当接片５０が設けられ、当接片５０と取付片４７との間にはそれぞれ上下一対の挟持片５１が設けられている。さらに、取付片４７、挟持片５１、当接片５０、挟持片４９のそれぞれの間にはスリット溝５２が切り込まれている。このスリット溝５２によって取付金具３７は弾性的に屈曲し易くなっている。
【００３９】
このような構造を有する取付金具３７は、光源３３Ａ、３３Ｂを導光板３２の光源収納部３９内に嵌め込んだ後、光源３３Ａ、３３Ｂの背後から光源３３Ａ、３３Ｂ及び導光板３２を表裏から挟み込むようにして取り付けられる。すなわち、取付金具３７の挟持片５１間に導光板３２の挟み込み用段差部４１及び光源３３Ａ、３３Ｂの一方の挟持用段差部３８を挟み込み、取付金具３７の挟持片４９間に導光板３２の挟み込み用段差部４０及び光源３３Ａ、３３Ｂの他方の挟持用段差部３８を挟み込んだ後、取付金具３７の取付片４７で金具取付部４５を挟んで取付片４７を押し込むと、スナップ４６が係止孔４８にはまり込んで取付金具３７が導光板３２に固定される。この結果、取付金具３７は導光板３２の挟み込み用段差部４０、４１を挟み込むことによって上下方向に位置決めされ、さらに光源３３Ａ、３３Ｂの挟持用段差部３８を挟み込んで上下方向の位置決めをするので、光源３３Ａ、３３Ｂは導光板３２に対して上下方向の位置決めが成される。また、取付金具３７は、当接片５０が光源３３Ａ、３３Ｂの背面に当接することによって弾性的に湾曲しており、その弾性反発力によって光源３３Ａ、３３Ｂを導光板３２の当接部４３に押し付け、光源３３Ａ、３３Ｂの前後方向の位置決めを確実にしている。この結果、光源３３Ａ、３３Ｂは導光板３２の光源収納部３９内で上下、左右、前後の各方向において位置決めされることになる。
【００４０】
図１３は導光板３２の裏面の偏向パターン領域３５に設けられている偏向パターン素子５３Ａ、５３Ｂの配置を示す説明図である。光源３３Ａ、３３Ｂ内に封止されているＬＥＤチップのサイズは約０.３ｍｍであるが、ＬＥＤチップを樹脂封止した光源３３Ａ、３３Ｂは約２.２ｍｍの幅を有しており、光源３３Ａ、３３Ｂ間の距離も約４.１ｍｍとなる。そのため、このような光源３３Ａ、３３Ｂは全体を１つの点光源として扱うことはできない。そのため、偏向パターン素子５３Ａ、５３Ｂは、図１３に示すような配置となっている。各偏向パターン素子５３Ａ、５３Ｂは、２つの光源３３Ａ、３３Ｂの中点Ｑを中心とする同心円の上に配置されている。そして、同一円周上に配置された偏向パターン素子は、一方の光源３３Ａと結ぶ方向に対して直角に配置された偏向パターン素子５３Ａと、他方の光源３３Ｂと結ぶ方向に対して直角に配置された偏向パターン素子５３Ｂとが、交互に配列されている。正確に言うと、同一円周上に配置された偏向パターン素子のうち一部の偏向パターン素子５３Ａは、導光板３２の光出射面に垂直な方向から見て、その光反射面に立てた法線が一方の光源３３Ａと当該偏向パターン素子５３Ａとを結ぶ方向とほぼ平行となるような向きに配置されており、残りの偏向パターン素子５３Ｂは、導光板３２の光出射面に垂直な方向から見て、その光反射面に立てた法線が他方の光源３３Ｂと当該偏向パターン素子５３Ｂとを結ぶ方向とほぼ平行となる向きに配置されている。そして、同一円周上においては、偏向パターン素子５３Ａ、５３Ｂはいずれかの光源３３Ａ、３３Ｂを見る向きとその長さ方向とが直角を成すように配置すると共に、異なる光源３３Ａ、３３Ｂに対して直角に配置された光源３３Ａ、３３Ｂを交互に配置している。
【００４１】
偏向パターン素子５３Ａ、５３Ｂの配置を決める際に基準となる光源３３Ａの方向とは、厳密にいうと光源３３Ａ、３３Ｂ内の発光点（ＬＥＤチップ）の位置する方向である。また、偏向パターン素子５３Ａ、５３Ｂ内に複数の発光点がある場合には、各偏向パターン素子５３Ａ又は５３Ｂ内の発光点全体の中点の方向とすればよい。ただし、偏向パターン素子５３Ａ、５３Ｂと対応する光源３３Ａ、３３Ｂとを結ぶ方向は、偏向パターン素子５３Ａ、５３Ｂの大きさの範囲内で発光点又はその中点からずれていても差し支えない。
【００４２】
図１４及び図１５（ａ）（ｂ）は上記偏向パターン素子５３Ａ、５３Ｂの断面形状とその作用を説明する図である。図１４に示すように、偏向パターン素子５３Ａ、５３Ｂは断面三角形状に凹設された三角プリズム状に形成されており、長さ方向にほぼ一様な断面を有している。偏向パターン素子５３Ａ、５３Ｂは、光源３３Ａ、３３Ｂ側を向いた斜面が光反射面５４となり、光源３３Ａ、３３Ｂから遠い側の斜面が再入射面５５となっている。偏向パターン素子５３Ａ、５３Ｂの断面は、ほぼ直角三角形状となっており、光反射面５４の傾斜角γと再入射面５５の傾斜角δとは、次のような関係を満たしていることが望ましい。
γ＜δ
４５°≦γ≦６５°
８０°≦δ≦９０°
例えば、導光板３２の屈折率がｎ＝１.５３の場合、図１５（ａ）に示すように、光反射面５４の傾斜角をγ＝５６°とすれば、裏面側から偏向パターン素子５３Ａ、５３Ｂに入射して光反射面５４で全反射された光は、θ軸方向から見てξ＝−２０°〜３５°の範囲に光出射面５６から出射される。また、図１５（ｂ）に示すように、光反射面５４に入射した光が、光反射面５４を透過して漏れた場合には、その光は再入射面５５から再び導光板３２内に導入されるので、光量損失が低減する。なお、再入射面５５から導光板３２に再入射しない場合には、漏れた光は反射シート３４で反射されて導光板３２内へ戻る。
【００４３】
なお、偏向パターン素子５３Ａ、５３Ｂは、その長さ方向に直線状に延びている必要はなく、若干うねっていたり、湾曲したりしていてもよい。例えば、図１６に示すように、略Ｓ字状に湾曲していてもよい。偏向パターン素子５３Ａ、５３Ｂを湾曲させる理由は、面光源装置３１から出射される光の指向特性が狭い場合には、偏向パターン素子５３Ａ、５３Ｂを湾曲させることによって指向特性を広げることができるからである。このような場合には、光反射面の位置によって光反射面に立てた法線の方向が異なることになるが、その場合には、光反射面に立てた法線の方向の拡がりのうちほぼ中心方向がいずれかの光源の方向を向くようにすればよい。
【００４４】
従って、この面光源装置３１にあっては、図１７に示すようにして光出射面５６から各光源３３Ａ、３３Ｂの光が出射される。図１７に従って説明すると、各光源３３Ａ、３３Ｂから出射した光ｆ１、ｆ２は、導光板３２に入射した後、導光板３２の光出射面とその反対側の面との間で全反射しながら各光源３３Ａ、３３Ｂを中心として放射状に広がる。そして、偏向パターン素子５３Ａ、５３Ｂに入射した光は、その光反射面５４で反射されることによって光出射面５６からほぼ垂直な方向へ出射される。
【００４５】
図１８及び図１９はこうして光出射面５６から光が出射される際の指向特性を説明する図である。図１８は光源３３Ａ、３３Ｂの近傍を拡大して表わした概略平面図である。図１９は図１８のＹ−Ｙ線断面図であって、光源の近傍におけるｒ軸に垂直な平面（ｚθ平面と平行な面）を表わしている。図１８に示すように、一方の光源３３Ａに対応する偏向パターン素子５３Ａには、光源３３Ａから出射された光ｆ１はｚ軸方向から見て（以下、平面視という。）垂直に入射するが、他方の光源３３Ｂから出射された光ｆ２は斜めに入射する。従って、ｚθ平面内で見ると、図１９に示すように、偏向パターン素子５３Ａで反射した光ｆ１は光出射面５６からほぼ垂直な方向へ出射されるが、偏向パターン素子５３Ａで反射した光ｆ２は光出射面５６から斜め方向へ出射される。従って、偏向パターン素子５３Ａで反射されて光出射面５６から出射される光の指向特性は、図２０（ａ）のようになり、光出射面５６に垂直な方向（η＝０°）と斜め方向（η＞０°）とでピークを持つ。
【００４６】
また、図１８に示すように、光源３３Ｂに対応する偏向パターン素子５３Ｂには、光源３３Ｂから出射された光ｆ２は平面視で垂直に入射するが、他方の光源３３Ａから出射された光ｆ１は斜めに入射する。従って、ｚθ平面内で見ると、図１９に示すように、偏向パターン素子５３Ｂで反射した光ｆ２は光出射面５６からほぼ垂直な方向へ出射されるが、偏向パターン素子５３Ｂで反射した光ｆ１は光出射面５６から斜め方向へ出射される。従って、偏向パターン素子５３Ｂで反射されて光出射面５６から出射される光の指向特性は、図２０（ｂ）のようになり、光出射面５６に垂直な方向（η＝０°）と斜め方向（η＜０°）とでピークを持つ。
【００４７】
この結果、両偏向パターン素子５３Ａ、５３Ｂで反射されて光出射面５６から出射される光の全体としての指向特性を考えると、図２０（ｃ）のようになる。図２０（ｃ）の指向特性は、図２０（ａ）の指向特性と図２０（ｂ）の指向特性を重ね合わせたものであり、３つのピークを有している。特に、光出射面５６にほぼ垂直な方向で大きな出射光量が得られる。特に、理想的な偏向パターン素子５３Ａ、５３Ｂの場合には、光源３３Ａ、３３Ｂの近傍においても光源３３Ａ、３３Ｂから出射される光量の５０％が正面方向へ出射される。
【００４８】
これを図１０に示された従来例の指向特性と比較すると、従来例の場合には、光源の近傍では２つのピークを有する指向特性となり、面光源装置の正面方向における出射光量が非常に小さく、光源近傍における輝度が得られなかった。これに対し、本発明の面光源装置の場合には、図２０（ｃ）に示すように、光源３３Ａ、３３Ｂの近傍においても面光源装置の正面方向への出射光量が大きくなり、輝度の低下が小さくなる。よって、複数の光源を用いても、光源の近傍において輝度の低下が生じにくく、面光源装置の発光領域における輝度の均一性を高めることができる。この結果、本実施例によりば、光源から出射された光の損失を小さくして面光源装置の輝度を高くすることができると共に、発光領域全体において輝度の均一化を図ることができる。
【００４９】
光源から５.５ｍｍの箇所で測定した場合について言うと、図１０の指向特性では、ピーク強度を１とした時、正面での強度は３.７％であった。これに対し、図２０（ｃ）の特性を有する本実施例の面光源装置では、ピーク強度を１とした時、正面での強度は３２.７％であった。従って、本発明の面光源装置では、図１０のような指向特性を有する従来例の９倍以上の効率が得られ、光源近傍における輝度の低下を防ぐことができた。また、面光源装置の発光領域全体で考えても、本発明の面光源装置によれば、１０％以上の効率の改善効果が認められた。
【００５０】
なお、上記実施例においては、一方の光源３３Ａに対応して直角に配置された偏向パターン素子５３Ａと、他方の光源３３Ｂに対応して直角に配置された偏向パターン素子５３Ｂとを交互に配置したが、両偏向パターン素子５３Ａ、５３Ｂは規則的に配置されていても、ランダムに配置されていてもよい。面光源装置の偏向パターン領域３５に比べて小さく、偏向パターン素子５３Ａ、５３Ｂに比べて十分に大きな微小領域において両者の偏向パターン素子５３Ａ、５３Ｂが均等な比率で分布していれば、面光源装置全体で指向特性が均一化される。
【００５１】
また、導光板３２内において光源３３Ａ、３３Ｂから遠くなるに従って到達する光量が減少するので、光源３３Ａ、３３Ｂの近傍においては偏向パターン素子５３Ａ、５３Ｂのパターン密度を小さくし、光源から遠くなるに従って偏向パターン素子５３Ａ、５３Ｂのパターン密度が大きくすれば、光出射面全体において輝度を均一化することができる。
【００５２】
また、本実施例においては、２種の偏向パターン素子５３Ａ、５３Ｂを均等に分散させている。２種の偏向パターン素子５３Ａ、５３Ｂを領域毎に区画して設けることも可能であるが、その場合には、異なる偏向パターン素子の領域どうしの境界が目立ったり、輝線や暗線が発生したりする恐れがあるためである。
【００５３】
実施例１においては、２つの光源３３Ａ、３３Ｂを用いた場合を説明したが、光源は３個以上であってもよい。図２１は３個の光源３３Ａ、３３Ｂ、３３Ｃを用いたものであって、光源３３Ａ、３３Ｂ、３３Ｃの中点Ｑを中心とする同心円上に偏向パターン素子５３Ａ、５３Ｃ、５３Ｂが順次繰り返して配列されている。偏向パターン素子５３Ａは、平面視で、当該素子５３Ａに立てた法線の方向が、当該素子５３Ａと光源３３Ａとを結ぶ方向とほぼ平行となっている。同様に、偏向パターン素子５３Ｂは、平面視で、当該素子５３Ｂに立てた法線の方向が、当該素子５３Ｂと光源３３Ｂとを結ぶ方向とほぼ平行となっている。偏向パターン素子５３Ｃは、平面視で、当該素子５３Ｃに立てた法線の方向が、当該素子５３Ｃと光源３３Ｃとを結ぶ方向とほぼ平行となっている。また、図２２は４個の光源３３Ａ、３３Ｂ、３３Ｃ、３３Ｄを用いたものであって、光源３３Ａ、３３Ｂ、３３Ｃ、３３Ｄの中点Ｑを中心とする同心円上には、光源３３Ａ、３３Ｄ、３３Ｃ、３３Ｂに対応する偏向パターン素子５３Ａ、５３Ｄ、５３Ｃ、５３Ｂが順次繰り返して配列されている。
【００５４】
ただし、３個以上に光源の数を増やすのは、輝度を大きくすることよりも、発光色の異なる光源を組み合わせる場合や、視野特性を広げたい場合に有用である。
【実施例２】
【００５５】
図２３は本発明の実施例２を説明する図である。実施例２の面光源装置にあっては、光源３３Ａ及び３３Ｂと中点Ｑから距離Ｌ１（＝１７ｍｍ）の点を通過する円の内部の領域Ｒ１においては、実施例１と同様に、一方の光源３３Ａを中心として同心円状に配置した偏向パターン素子５３Ａと、他方の光源３３Ｂを中心として同心円状に配置した偏向パターン素子５３Ｂとを混在させている。また、光源３３Ａ及び３３Ｂと中点Ｑから距離Ｌ２（＝３０ｍｍ）の点を通過する円の外側の領域Ｒ３においては、従来例と同様に、光源３３Ａ、３３Ｂ間の中点Ｑを中心として同心円状に偏向パターン素子５３Ａ、５３Ｂを配置している。また、領域Ｒ１の外側で、かつ、領域Ｒ３の内側に位置する三日月形の領域Ｒ２においては、領域Ｒ１のパターンから領域Ｒ３のパターンへと徐々に偏向パターン素子５３Ａ、５３Ｂの配置が遷移している。例えば、領域Ｒ２においては、領域Ｒ１側から領域Ｒ３側へ近づくに従って、円周上に配置された偏向パターン素子５３Ａ、５３Ｂに垂直な方向の交わるの点が各光源３３Ａ、３３Ｂから中点Ｑ側へと移動している。
【００５６】
図２４は光源３３Ａ、３３Ｂからの距離と光利用効率との関係を表わした図である。ここには、偏向パターン領域３５の全体に、一方の光源３３Ａを中心として同心円状に配置した偏向パターン素子５３Ａと他方の光源３３Ｂを中心として同心円状に配置した偏向パターン素子５３Ｂとを混在させた場合（実施例１）と、偏向パターン領域の全体に、光源間の中点Ｑを中心として同心円状に配置した偏向パターン素子を設けた場合（従来例）と、図２１に示した実施例２の場合とのそれぞれの光利用効率を表わしている。図２２から分かるように、光源の近傍では従来例よりも実施例１の方が効率が高いが、光源から遠い領域では実施例１よりも従来例の方が効率が高い。従って、実施例２のように光源３３Ａ、３３Ｂに近い領域（Ｒ１）では実施例１のようにそれぞれの光源３３Ａ、３３Ｂを中心として同心円状に配置された偏向パターン素子５３Ａ、５３Ｂを混在させ、光源３３Ａ、３３Ｂから遠い領域（Ｒ３）では、中点Ｑを中心として同心円状に偏向パターン素子５３Ａ、５３Ｂを配置することにより、偏向パターン領域３５の全体で光利用効率を向上させることができる。しかし、偏向パターン素子５３Ａ、５３Ｂの配置の仕方を急に変化させると、偏向パターン素子５３Ａ、５３Ｂの配置の異なる領域間の境界が目立ったり、境界に輝線や暗線が発生するので、実施例２では領域Ｒ１と領域Ｒ３の間に領域Ｒ２を設け、領域Ｒ２において領域Ｒ１のパターン配置から領域Ｒ３のパターン配置へと徐々にパターンを変化させている。
【実施例３】
【００５７】
図２５（ａ）（ｂ）は実施例３の構成を説明する図である。実施例３は、実施例１又は実施例２の面光源装置を改良したものである。図２５（ａ）に示すように、光源が２つあると、隣接する偏向パターン素子５３Ａ、５３Ｂどうしでも、対応する光源３３Ａ、３３Ｂからの距離が異なるので、光源３３Ａから偏向パターン素子５３Ａに入射する光の入射強度ｆ１と、光源３３Ｂから偏向パターン素子５３Ｂに入射する光の入射強度ｆ２とが異なる。そのため、隣接する偏向パターン素子のうち、偏向パターン素子５３Ａにより垂直に出射される光ｆ１の強度と偏向パターン素子５３Ｂにより垂直に出射される光ｆ２の強度が異なり、面光源装置の発光領域に明暗の模様が発生したり、液晶表示装置として用いたときにモアレ縞が発生したりする恐れがある。
【００５８】
そのため実施例３においては、光源３３Ａに対応する偏向パターン素子５３Ａについては、光源３３Ａからの距離が大きくなるに従って偏向パターン素子５３Ａの長さを長くし（光反射面５４の面積が大きくなる。）、光源３３Ａからの距離が大きくなると偏向パターン素子５３Ａによる光の反射効率が大きくなるようにしている。同様に、光源３３Ｂに対応する偏向パターン素子５３Ｂについては、光源３３Ｂからの距離が大きくなるに従って偏向パターン素子５３Ｂの長さを長くし、光源３３Ｂからの距離が大きくなると偏向パターン素子５３Ｂによる光の反射効率が大きくなるようにしている。
【００５９】
この結果、図２５（ｂ）に示すように偏向パターン素子５３Ａと偏向パターン素子５３Ｂが隣接しているとき、光源３３Ａに近い偏向パターン素子５３Ａではその長さが短くなっており、光源３３Ｂから遠い偏向パターン素子５３Ｂではその長さが長くなっている。その結果、偏向パターン素子５３Ａに入射する光量が大きく、偏向パターン素子５３Ｂに入射する光量が少なくても、偏向パターン素子５３Ａで反射されて光出射面から垂直に出射される光ｆ１の強度と、偏向パターン素子５３Ｂで反射されて光出射面から垂直に出射される光ｆ２の強度とがほぼ同等になる。よって、実施例３によれば、面光源装置に明暗の模様が生じたり、液晶表示装置にモアレ縞が生じたりしにくくなる。
【００６０】
なお、光量をバランスさせるためには、対応する光源３３Ａ、３３Ｂからの距離が大きくなるほど、偏向パターン素子５３Ａ、５３Ｂのパターン密度を大きくすることも可能である。しかし、このような方法では、光源３３Ａ、３３Ｂの近傍で偏向パターン素子５３Ａ、５３Ｂのパターン密度が極めて小さくなり、パターンが目に見える恐れがある。これに対し、光源３３Ａ、３３Ｂの近傍で、偏向パターン素子５３Ａ、５３Ｂのパターン密度を小さくすることなく、偏向パターン素子５３Ａ、５３Ｂの長さを短くすれば、このような問題は生じない。よって、実施例３の構成は、特に光源３３Ａ、３３Ｂの近傍において有用である。
【実施例４】
【００６１】
図２６は本発明の実施例４による面光源装置６１を示す分解斜視図である。この面光源装置６１は、主として導光板３２、光源３３Ａ、３３Ｂ、反射シート３４、取付金具３７、プリズムシート６２から構成されている。プリズムシート６２の下面には、図２７に示すように、断面三角形状をした円弧状のプリズム６３が共通の１点を中心として同心円状に設けられている。組み立てられた状態では、プリズムシート６２に設けられたプリズム６３の円弧中心は、平面視で光源３３Ａ、３３Ｂの中点Ｑとほぼ一致している。また、この面光源装置６１でも、導光板３２下面の偏向パターン領域３５には、２種の偏向パターン素子６４Ａ、６４Ｂが設けられているが、その光反射面の傾斜角γは１２°程度と成っている。
【００６２】
図２８は面光源装置６１における光の挙動を説明するための概略断面図である。この面光源装置６１にあっては、光源３３Ａ、３３Ｂから出射された光ｆ１、ｆ２が導光板３２内に入射すると、光出射面５６とその反対側の面とで反射しながら伝搬する。導光板３２内を伝搬する光ｆ１、ｆ２が、偏向パターン素子６４Ａ、６４Ｂの光反射面で全反射されると、光出射面５６とほぼ平行な方向へ向けて光出射面５６から出射される。こうして光出射面５６とほぼ平行な方向へ出射された光ｆ１、ｆ２は、プリズムシート６２の下面に設けられたプリズム６３内に入射し、プリズム６３の傾斜面で全反射されることによって光の進む方向を曲げられ、プリズムシート６２にほぼ垂直な方向へ出射される。
【００６３】
光が図２８のような挙動をする面光源装置６１にあっては、プリズムシート６２の偏向パターン素子がすべて、光源３３Ａ、３３Ｂの中点Ｑを中心として同心円状に配列されていると、複数の光源が用いられている場合には、偏向パターン素子で反射されて光出射面から出射された光は、プリズム６３に対して斜めに入射する。そのため光はプリズム６３によって垂直な方向へ出射されなくなり、面光源装置６１の正面輝度が低下する。特に、光源の近傍においては輝度の低下が著しく、暗部が発生する恐れがある。
【００６４】
これを解消するため、実施例４による面光源装置６１では、図２９に示すように、光源３３Ａから出て偏向パターン素子６４Ａで反射された後、光出射面５６から出た光ｆ１がプリズム６３の長さ方向（又は接線方向）にほぼ垂直に入射するように偏向パターン素子６４Ａの配置を定めている。同様に、光源３３Ｂから出て偏向パターン素子６４Ｂで反射された後、光出射面５６から出た光ｆ２がプリズム６３の長さ方向（又は接線方向）にほぼ垂直に入射するように偏向パターン素子６４Ｂの配置を定めている。さらに、偏向パターン素子６４Ａと偏向パターン素子６４Ｂは、光源３３Ａ、３３Ｂの中点Ｑを中心とする同心円の上に配置し、同一円周上では偏向パターン素子６４Ａと偏向パターン素子６４Ｂとが交互に配列されるようにしている。この結果、光出射面５６から出射された各光源３３Ａ、３３Ｂの光ｆ１、ｆ２はプリズム６３によってほぼ垂直な方向に曲げられるようになり、面光源装置６１の正面輝度が向上すると共に輝度の均一性が向上させられる。特に、光源３３Ａ、３３Ｂの近傍における暗部の発生を防止することができる。
【００６５】
図３０は、上記偏向パターン素子６４Ａ、６４Ｂの配置角度の決め方を説明する図である。偏向パターン素子６４Ａの光反射面への入射角と出射角をそれぞれ平面視でθin、θoutであるとする。いま、偏向パターン素子６４Ａの光反射面の傾斜角をγ＝１２°とし、導光板３２の屈折率をｎ＝１.５３であるとすると、入射角θinと出射角θoutとの間には、
θout≒１.５×θin      …（数式１）
の関係がある。また、プリズムシート６２に設けられている各プリズム６３の円弧中心が平面視で中点Ｑと一致するものとする。
【００６６】
よって、図３０に示すように、ある位置の偏向パターン素子６４Ａを考えるとき、偏向パターン素子６４Ａを回転させると、それに伴って光源３３Ａからの入射角θinが変化するが、それに伴って出射角θoutは上記数式（１）から求められる。この出射角の方向の延長線上に中点Ｑが位置するように偏向パターン素子６４Ａの角度を決定すれば、偏向パターン素子６４Ａの所望の配置が得られる。
【００６７】
具体的に言うと、点Ｑを原点として図３０のようにｘ軸方向とｙ軸方向を定め、ある偏向パターン素子６４Ａの位置を（ｘ０、ｙ０）とし、偏向パターン素子６４Ａの法線の向きがｙ軸方向と成す角度をεとし、光源３３Ａ、３３Ｂ間の距離をＫとすると、次の各式より（ｘ０、ｙ０）の位置にある偏向パターン素子６４Ａの配置角度εを決定することができる。
θout≒１.５×θin      …（数式１）
tan（ε＋θin）＝（ｘ０−Ｋ／２）／ｙ０      …（数式２）
tan（ε＋θout）＝ｘ０／ｙ０      …（数式３）
以上においては、偏向パターン素子６４Ａについて説明したが、偏向パターン素子６４Ｂについても同様である（但し、数式においては、Ｋ→−Ｋとする。）。
【００６８】
従って、中点Ｑを中心とする同心円状の円周を決め、この円周の上に交互に偏向パターン素子６４Ａと偏向パターン素子６４Ｂを配置した後、偏向パターン素子６４Ａ、６４Ｂの位置（ｘ０、ｙ０）に応じてその配置角度εを上記数式によって決定し、偏向パターン素子６４Ａ、６４Ｂをそれぞれの角度εずつ傾ければよい。
【００６９】
なお、上記各実施例においては、複数の光源を導光板の中央部に配置したものを示したが、複数の光源を導光板のコーナー部に配置してあってもよい。
【実施例５】
【００７０】
図３１は本発明にかかる液晶表示装置７１を示す概略図である。この液晶表示装置７１は、画素毎に光の透過又は遮断を制御して画像を生成するための液晶表示パネル７２と、本発明にかかる面光源装置７３とからなり、液晶表示パネル７２の背面に面光源装置７３を配置している。この液晶表示装置７１は、本発明にかかる面光源装置７３をバックライトとして用いているので、液晶表示パネル７２を背面側から均一に照明することができ、視認性の良好な液晶表示装置７１を製作することができる。特に、光源側の端で画面が暗くなる恐れがなくなる。
【００７１】
また、図３２（ａ）はこの液晶表示装置７１をディスプレイ部として用いた携帯電話機７４を表わしている。この携帯電話機７４は送受話機能を有し、テンキー７５より通信先電話番号を入力してマイク７６により音声を送信し、スピーカー７７により音声を受けることができる。また、図３２（ｂ）は液晶表示装置７１をディスプレイ部として用いた電子手帳やモバイル機器等の情報端末機７８であって、マイクロコンピュータによる情報処理機能を備えている。
【図面の簡単な説明】
【００７２】
【図１】液晶表示装置の構成を示す概略図である。
【図２】従来の面光源装置を示す分解斜視図である。
【図３】図２の面光源装置の概略断面図である。
【図４】１個の光源を用いた従来の面光源装置を説明するための概略平面図である。
【図５】本明細書において用いられる方向及び方位の定義を示す図である。
【図６】図４の面光源装置で用いられてた導光板に２つの光源を配置した面光源装置を説明する図である。
【図７】図６に示す面光源装置で、光源の近傍に発生する暗部を示す図である。
【図８】図６の面光源装置において、偏向パターン素子に入射する光の方向を示す図である。
【図９】図６の面光源装置において、偏向パターン素子で反射された光の方向を示す図である。
【図１０】図６の面光源装置において、光出射面から出射される光の指向特性を示す図である。
【図１１】本発明の一実施例による面光源装置を示す分解斜視図である。
【図１２】取付金具によって光源を導光板に固定するための構造を表わした分解斜視図である。
【図１３】導光板の裏面の偏向パターン領域に設けられている偏向パターン素子の配置を示す説明図である。
【図１４】偏向パターン素子の断面形状を示す図である。
【図１５】（ａ）、（ｂ）は偏向パターン素子の作用を示す図である。
【図１６】偏向パターン素子の変形例を示す平面図である。
【図１７】実施例１の面光源装置における光の挙動を説明するための概略断面図である。
【図１８】偏向パターン素子に入射する光の方向を示す図である。
【図１９】偏向パターン素子で反射されて光出射面から出射される光の方向を示す図である。
【図２０】（ａ）は一方の偏向パターン素子で反射された光の指向特性を示す図、（ｂ）は他方の偏向パターン素子で反射された光の指向特性を示す図、（ｃ）は両方の偏向パターン素子の指向特性を重ね合わせた図である。
【図２１】実施例１の変形例を説明する図である。
【図２２】実施例１の別な変形例を説明する図である。
【図２３】本発明の実施例２による面光源装置を説明する図である。
【図２４】面光源装置の効率と光源からの距離との関係を、従来例、実施例１及び実施例２の面光源装置について示した図である。
【図２５】本発明の実施例３の構成を説明する図である。
【図２６】本発明の実施例４による面光源装置を示す分解斜視図である。
【図２７】実施例４で用いられているプリズムシートの裏面側からの斜視図である。
【図２８】実施例４の面光源装置における光の挙動を説明するための概略断面図である。
【図２９】実施例４における偏向パターン素子の配置を説明する概略図である。
【図３０】実施例４における偏向パターン素子の配置を説明する概略図である。
【図３１】本発明にかかる液晶表示装置を示す概略図である。
【図３２】（ａ）は本発明にかかる携帯電話機の概略斜視図、（ｂ）は本発明にかかる情報端末機の概略斜視図である。
【符号の説明】
【００７３】
３１      面光源装置
３２      導光板
３３Ａ、３３Ｂ      光源
３４      反射シート
３５      偏向パターン領域
３７      取付金具
５３Ａ、５３Ｂ      偏向パターン素子
５４      光反射面
５５      再入射面
５６      光出射面
６１      面光源装置
６２      プリズムシート
６３      プリズム
６４Ａ、６４Ｂ      偏向パターン素子
【図１】
0004674448.tif 000002
【図２】
0004674448.tif 000003
【図３】
0004674448.tif 000004
【図４】
0004674448.tif 000005
【図５】
0004674448.tif 000006
【図６】
0004674448.tif 000007
【図７】
0004674448.tif 000008
【図８】
0004674448.tif 000009
【図９】
0004674448.tif 000010
【図１０】
0004674448.tif 000011
【図１１】
0004674448.tif 000012
【図１２】
0004674448.tif 000013
【図１３】
0004674448.tif 000014
【図１４】
0004674448.tif 000015
【図１５】
0004674448.tif 000016
【図１６】
0004674448.tif 000017
【図１７】
0004674448.tif 000018
【図１８】
0004674448.tif 000019
【図１９】
0004674448.tif 000020
【図２０】
0004674448.tif 000021
【図２１】
0004674448.tif 000022
【図２２】
0004674448.tif 000023
【図２３】
0004674448.tif 000024
【図２４】
0004674448.tif 000025
【図２５】
0004674448.tif 000026
【図２６】
0004674448.tif 000027
【図２７】
0004674448.tif 000028
【図２８】
0004674448.tif 000029
【図２９】
0004674448.tif 000030
【図３０】
0004674448.tif 000031
【図３１】
0004674448.tif 000032
【図３２】
0004674448.tif 000033